(57)【要約】【課題】  既設の換気扇の吸気口に設けられたフランジを利用して、換気扇の機能を損なうことなく、ＶＯＣ吸着手段の再生時に発生する高濃度のＶＯＣを屋外へ排出し、さらにＶＯＣ除去を行う室内の温度を上昇させずに、家具やインテリア設置の自由度を奪わない、簡単に取付けが可能なＶＯＣ除去装置を提供する。  【解決手段】  既設の換気扇の吸気口に設けられたフランジを利用してＶＯＣ除去装置を取付け、ＶＯＣ吸着手段の再生時に発生する高濃度のＶＯＣを含む汚染度の高い空気を既設の換気扇の排気ダクトを利用して屋外へ排出することにより、吸気した空間に汚染度の高い空気を排気せず、さらにＶＯＣ除去を行う室内の温度を上昇させずに、家具やインテリア設置の自由度を奪わないことを可能とする。【選択図】  図１
2006263171.tif 000002
【特許請求の範囲】
【請求項１】
既設の換気扇の屋内に設けられた換気口に接続するＶＯＣ除去装置であって、
屋内空気を吸気する第一の吸気口と、
前記第一の吸気口より吸気した屋内空気を前記換気口へ排出する第一の流路部と、
前記屋内空気を吸気する第二の吸気口と、
前記第二の吸気口から吸気した屋内空気が分岐されて屋内又は前記換気口へ流れる第二の流路部と、
前記第二の吸気口から吸気した屋内空気を屋内又は前記換気口の何れか一方へ流すように流れを切替える流路切替手段と、
前記流路切替手段の動作を制御する制御手段とを備え、
前記第二の流路部は、
前記屋内空気中に含まれるＶＯＣを吸着するＶＯＣ吸着手段と、
前記ＶＯＣ吸着手段に吸着したＶＯＣを脱着及び／又は分解する再生手段と、
前記第二の流路部に空気流を形成する送風手段と、
を備えたことを特徴とするＶＯＣ除去装置。
【請求項２】
前記制御手段によって前記流路切替手段は、
前記第二の吸気口から吸気した空気中に含まれるＶＯＣを除去するＶＯＣ吸着運転時には屋内に排気し、
前記ＶＯＣ吸着手段に吸着したＶＯＣを脱着及び／又は分解するＶＯＣ再生運転時には屋外に排気するように切替え可能であることを特徴とする請求項１記載のＶＯＣ除去装置。
【請求項３】
ＶＯＣ除去装置の累積運転時間をカウントするタイマーと、
前記タイマーのＶＯＣ除去装置の累積運転時間が規定の累積運転時間に達しているか否かを判定する第一の判定手段とを備え、
前記第一の判定手段に基づいてＶＯＣ除去運転或いはＶＯＣ再生運転を行うことを特徴とする請求項１又は請求項２記載のＶＯＣ除去装置。
【請求項４】
屋内空気中のＶＯＣの濃度を検知するＶＯＣセンサーと、
前記ＶＯＣセンサーの検知濃度が規定のＶＯＣ濃度値に達しているか否かを判定するＶＯＣ第二の判定手段とを備え、
前記第二の判定手段に基づいてＶＯＣ除去運転或いはＶＯＣ再生運転を行うことを特徴とする請求項１乃至請求項３の何れかに記載のＶＯＣ除去装置。
【発明の詳細な説明】
【技術分野】
【０００１】
本発明は、ホルムアルデヒド、アセトアルデヒド、トルエン、キシレン等の揮発性有機化合物（ＶＯＣ）を除去するＶＯＣ除去装置に関する発明である。 
【背景技術】
【０００２】
空気中のＶＯＣの除去を行う空気清浄機が特許文献１に記載されている。特許文献１の空気清浄機は、吸気した空気中のＶＯＣを吸着処理後、加熱によって分解除去を行い、吸気した空間へ排気する空気循環型の空気清浄機である。 
【特許文献１】特開平１０−３１４５４２号公報
【発明の開示】
【発明が解決しようとする課題】
【０００３】
特許文献１の空気清浄機は、ＶＯＣの吸着手段と吸着手段を加熱する加熱手段と、加熱により吸着手段から脱離されるＶＯＣを分解する分解手段の三手段を順番に空気が通過或いは循環することにより構成されている。
【０００４】
そのため、吸着後の脱離時は高濃度のＶＯＣを含む汚染度の高い空気が発生する。特許文献１の空気清浄機は、この汚染度の高い空気を分解除去する手段を備えているが、構成上、分解除去手段では分解できずに通過する、或いは脱離したＶＯＣの量が分解できる量に追いつかなくなる場合があり、吸気した空間に汚染度の高い空気を排気する問題があった。
【０００５】
また、短時間とはいえ高温のＶＯＣ除去後の空気が吸気した空間に戻されるため、吸気した空間の温度上昇を引き起こし、使用者に特に夏場は不快感を与える問題があった。
【０００６】
さらに、このような空気清浄機は、設置する部屋の広さに応じて様々なの大きさのものがあるが、設置する場合、その分だけ部屋が狭くなってしまい、家具やインテリア等を設置する際の自由度が小さくなってしまう問題があった。
【０００７】
本発明は前記課題に鑑みてなされたものであり、加熱再生時に発生する高濃度のＶＯＣを含む汚染度の高い空気を屋外へ排出し、さらにＶＯＣ除去を行う室内の温度を上昇させずに、家具やインテリア設置の自由度を奪わないＶＯＣ除去装置を提供することを目的とする。
【課題を解決するための手段】
【０００８】
前記課題を解決するために、請求項１に記載した発明にあっては、既設の換気扇の屋内に設けられた換気口に接続するＶＯＣ除去装置であって、屋内空気を吸気する第一の吸気口と、前記第一の吸気口より吸気した屋内空気を前記換気口へ排出する第一の流路部と、
前記屋内空気を吸気する第二の吸気口と、前記第二の吸気口から吸気した屋内空気が分岐されて屋内又は前記換気口へ流れる第二の流路部と、前記第二の吸気口から吸気した屋内空気を屋内又は前記換気口の何れか一方へ流すように流れを切替える流路切替手段と、前記流路切替手段の動作を制御する制御手段を備え、前記第二の流路部は、前記屋内空気中に含まれるＶＯＣを吸着するＶＯＣ吸着手段と、前記ＶＯＣ吸着手段に吸着したＶＯＣを脱着及び／又は分解する再生手段と、前記第二の流路部に空気流を形成する送風手段と、
を備えたことを特徴とするＶＯＣ除去装置を提供する。
【０００９】
請求項２に記載した発明にあっては、前記制御手段によって前記流路切替手段は、前記第二の吸気口から吸気した屋内空気を空気中に含まれるＶＯＣを除去するＶＯＣ吸着運転時には屋内に排気し、前記ＶＯＣ吸着手段に吸着したＶＯＣを脱着及び／又は分解するＶＯＣ再生運転時には屋外に排気するように切替え可能であることを特徴とする請求項１記載のＶＯＣ除去装置を提供する。
【００１０】
請求項３に記載した発明にあっては、ＶＯＣ除去装置の累積運転時間をカウントするタイマーと、前記タイマーのＶＯＣ除去装置の累積運転時間が規定の累積運転時間に達しているか否かを判定する第一の判定手段とを備え、前記第一の判定手段に基づいてＶＯＣ除去運転或いはＶＯＣ再生運転を行うことを特徴とする請求項１又は請求項２記載のＶＯＣ除去装置を提供する。
【００１１】
請求項４に記載した発明にあっては、屋内空気中のＶＯＣの濃度を検知するＶＯＣセンサーと、前記ＶＯＣセンサーの検知濃度が規定のＶＯＣ濃度値に達しているか否かを判定するＶＯＣ第二の判定手段とを備え、前記第二の判定手段に基づいてＶＯＣ除去運転或いはＶＯＣ再生運転を行うことを特徴とする請求項１乃至請求項３の何れかに記載のＶＯＣ除去装置を提供する。
【発明の効果】
【００１２】
本発明に係るＶＯＣ除去装置にあっては、ＶＯＣ吸着手段に吸着したＶＯＣを脱着及び／又は分解するＶＯＣ吸着手段の再生時に発生する空気を屋外へ排出することで、屋内へ高濃度のＶＯＣを含む汚染度の高い空気を戻す危険性がなくなる。
【００１３】
また、ＶＯＣ吸着手段に吸着したＶＯＣを脱着及び／又は分解するＶＯＣ吸着手段の再生時に発生する空気を屋外へ排出する排気ダクトに、既設の換気扇の排気ダクトを使用するため、新たに排気ダクトを新設する必要が無い。
【００１４】
また、既設の換気扇の屋内に設けられた換気口のフランジにＶＯＣ除去装置の取付手段を用いて、ＶＯＣ除去装置を設置することができるため施工が容易である。
【００１５】
また、ＶＯＣ除去運転時は第一の吸気口、ＶＯＣ再生運転時は第二の吸気口が屋外と屋内を繋ぐ流路となるため、ＶＯＣ除去装置の運転に関係なく換気扇の運転を行うことが可能である。
【００１６】
また、既設の換気扇を連動させる必要が無いため、連動させるための配線の施工を必要とせず、容易に取付けが可能である。
【００１７】
また、屋内へ排気されるＶＯＣを除去された空気は加熱されていないため、屋内の温度が上昇せず、使用者に、特に夏場に不快感を与えなくすることが可能である。
【００１８】
また、換気扇の吸気口を設けていた位置に設置するため、デッドスペースを有効利用することができるので、家具やインテリア設置の自由度を奪わない。
【００１９】
また、規定時間ごとにＶＯＣ再生運転を行い、ＶＯＣ吸脱着手段にＶＯＣが残留することを防ぐことで、吸脱着手段に残留しているＶＯＣが吸気によって脱着され、その脱着されたＶＯＣが加わり吸気空気以上のＶＯＣ濃度となって屋内へ排気されることを防ぐことができる。
【００２０】
また、屋内空気のＶＯＣ濃度を検知することにより、ＶＯＣ濃度が基準値以内の時は送風手段の出力及び／又はＶＯＣ吸着手段が有する再生手段の出力を低下、或いは停止させることで、消費電力の無駄が無いＶＯＣ除去運転を可能とする。
【発明を実施するための最良の形態】
【００２１】
以下、本発明の実施の形態例について、図１乃至図３を参照しつつ、本発明を詳細に説明する。
【実施例１】
【００２２】
本実施例に係る発明は図１乃至図３に示すように、既設の換気扇のフランジ３と接続するＶＯＣ除去装置１であって、屋内空気を吸気する第一吸気口１１と、前記既設の換気扇の換気口とを繋ぐ第一流路部１２と、屋内空気を吸気する第二吸気口６と、前記第二吸気口６から吸気した屋内空気の排気を屋内又は前記第一流路１２の何れか一方に切替え可能な流路切替手段１０を有する第二流路部５とを備え、前記第二流路部５は、屋内から吸気した空気中に含まれるＶＯＣを吸着し、更に吸着したＶＯＣを脱着若しくは分解する再生手段を有するＶＯＣ吸着手段８と、前記第一流路部１２及び前記第二流路部５に空気流を形成する送風手段９を有し、更に既設の換気扇のフランジ３を利用してＶＯＣ除去装置１の換気口接続部２０とを接続及び設置することを可能とする取付手段４を備えている。
【００２３】
本実施例に係るＶＯＣ除去装置１は、図１に示すように既設の換気扇の吸気口に設置されるフランジ３に取付手段４を用いて取付けるため、容易に設置が可能である。
尚、既設の排気ダクトと屋内に繋がる第一流路部１２が設置されており、ＶＯＣ除去装置１を設置しても、既設の換気扇の機能を損なうことがないため、ＶＯＣ除去運転時において換気扇を作動させても第一吸気口１１より屋内の空気が吸気され、第一流路部１２を通過して屋外へ排気１７される。
【００２４】
本実施例に係るＶＯＣ除去装置１は、図２に示すようにＶＯＣ除去運転時の空気の流れは、第二流路部５内の送風手段９を作動させて第二吸気口６より吸気されて、次にＶＯＣ吸着手段８へ流入させて、吸気した空気に含まれるＶＯＣの除去を行い、流路切替手段１０により第一流路部１２への流路を閉鎖、排気口７への流路を開放させて屋内へ排気１６される。
尚、第一流路部１２はＶＯＣ除去運転時も、流路切替手段１０により屋内と屋外を繋ぐ第一流路部１２の入口の第一吸気口１１を開放しているので、換気扇を起動して同時に換気することも可能である。ただし、換気扇を作動させるとＶＯＣ除去を行った空気が屋外へ排気されることでＶＯＣ除去効率が下がるため、ＶＯＣ除去運転時は換気扇を作動させないことが望ましい。
【００２５】
特に本実施例に係るＶＯＣ除去装置にあっては、第一流路部１２内及び第二流路部５内及びこれらの流路内に設置した各手段に埃等の塵芥が堆積することを防ぎ、ＶＯＣ除去装置のＶＯＣ除去効率を下げないように、前記第一吸気口１１と前記第二吸気口６それぞれの吸気口に、吸引された空気中の埃等の塵芥を吸着するフィルター１４を設けている。
尚、前記フィルター１４は使用者が定期的に吸着した埃等の塵芥等の汚れを落として、効率の良いＶＯＣ除去が保持できるように着脱可能とすることが望ましい。
【００２６】
本実施例に係るＶＯＣ除去装置１は、図３に示すようにＶＯＣ再生運転時の空気の流れは、第二流路部５内の送風手段９を作動させて第二吸気口６より吸気されて、次にＶＯＣ吸着手段８へ流入させて、前記ＶＯＣ吸着手段８に吸着されたＶＯＣの脱着を行い、流路切替手段１０により排気口７への流路を閉鎖、第一流路部１２への流路を開放させて屋外へ排気１８される。
尚、第一流路部１２の入口は屋内に面しているので、脱着させたＶＯＣが屋内へ流れ込まないように、図３に示すように第一吸気口への流路を閉鎖することが望ましい。
尚、ＶＯＣ再生運転時も、屋内に面した第二吸気口６と屋外は繋がっているので、換気扇を起動して、同時にＶＯＣ再生空気の排気と屋内空気の換気をすることも可能である。
【００２７】
本実施例に係るＶＯＣ除去装置１に備えたＶＯＣ吸着手段８のＶＯＣ再生運転は、ＶＯＣ吸着手段８に吸着したＶＯＣを再生手段により加熱することで脱着させて行う。前記ＶＯＣ吸着手段８としては、通電すると発熱する電気抵抗性材料を基材とした再生手段に、前記再生手段にＶＯＣを吸着する吸着剤を担持させたものが望ましい。
【００２８】
尚、前記ＶＯＣ吸着手段８に用いられる吸着剤として、ゼオライト、シリカゲル、活性アルミナ、活性炭を用いることが望ましい。
尚、前記ＶＯＣ吸着手段８は、図示はしないが、第二流路部５の空気流に関して上流側に屋内から吸気した空気を加熱するニクロム線ヒーター、シーズヒーター、ＰＴＣヒーター等の加熱装置による再生手段と、その下流側に加熱された空気を流入させる、前記ＶＯＣ吸着剤をセラミックペーパで構成された基材に担持したＶＯＣ吸着手段で構成しても良い。
【００２９】
本実施例に係るＶＯＣ除去装置１に備えた取付手段４は、金属或いは樹脂を材料として形成されることが望ましい。
尚、金属及び樹脂に限らず、本発明を既設の換気扇のフランジ３に取付けても使用に問題が無ければ、それらに代わる強度をもつ材料で形成されても良い。
【００３０】
本実施例に係るＶＯＣ除去装置は、上述のように構成され作用するため、このＶＯＣ除去装置を設置するだけで、既設の換気扇の機能を損なうことなく屋内空気に含まれるＶＯＣの除去を行うことができる。
また、ＶＯＣ吸着手段の再生時（ＶＯＣ再生運転時）は再生空気を屋外へ排出することで、屋内へＶＯＣ濃度の高い空気を戻す危険性がなくなる。
また、前記ＶＯＣ吸着手段の再生時に発生する空気を屋外へ排出する排気ダクトに、既設の換気扇の排気ダクトを使用するため、新たに排気ダクトを新設する必要が無く、更に、取付けも既設の換気扇の吸気口に設けたフランジを利用して取付けるのみで、既設の換気扇に連動させる配線等を施工する必要が無いため施工性が大変良い。
また、ＶＯＣ再生運転時を除くＶＯＣ除去運転時は、屋内の空気を循環させてＶＯＣ除去を行うため、屋外へ屋内の熱エネルギーが放出されることがなく経済的であり、さらに屋外から吸気を行わないので、屋外の空気中に含まれる埃等の塵芥やＶＯＣ等を屋内へ吸気させることがない。
また、換気扇の吸気口を設けていた位置に設置するので、ＶＯＣ除去装置とは別体のＶＯＣ除去機能を備えた空気清浄機を置く必要がなくなるため、屋内の利用スペースを増大させるとともに、家具やインテリア設置の自由度を増大させることが可能となる。
尚、本発明は天井のみに限らず、既設の換気扇の吸気口を有する側壁に設けても良い。
【実施例２】
【００３１】
実施例１記載のＶＯＣ除去装置であって、ＶＯＣ除去装置の累積運転時間をカウントするタイマーと、前記タイマーのＶＯＣ除去装置の累積運転時間が規定の累積運転時間以上或いは以下であるか否かを判定する第一判定手段と、前記第一判定手段に基づいてＶＯＣ除去運転或いはＶＯＣ再生運転を行う制御をする制御手段とを備えている。
【００３２】
実施例２に係るＶＯＣ除去装置を常時連続運転する場合の当該除去装置の作動を図１乃至図３の装置の斜視図及び断面図、さらに図４のフロー図を用いて説明する。
ＶＯＣ除去装置の主電源をＯＮにすると装置が作動開始する。制御装置１３は累積運転時間をカウントするタイマーをリセットする（Ｓ１）。
制御装置１３は、流路切替手段１０により、屋内からの吸気空気１５の流路を排気口へ流れるように切替える（Ｓ２）。
制御装置１３は、送風手段９の出力を規定出力にして、屋内からの吸気空気１５中に含まれるＶＯＣの除去（ＶＯＣ除去運転）を開始し、ＶＯＣを除去した空気を屋内へ排気１６する（Ｓ３）。
制御装置１３は、第１判定手段により、タイマーのカウントが第１規定累積時間未満又は以上であるかを判定する（Ｓ４）。
制御装置１３は、タイマーのカウントが第１規定累積運転時間未満と第１判定手段が判定している間は、累積運転時間に基づいて送風手段９、ＶＯＣ吸着手段８の再生及び流路切替手段１０の流路切替制御を行うことなくＶＯＣ除去運転を続行し（Ｓ３〜Ｓ４）、タイマーのカウントが第１規定累積運転時間以上と第１判定手段が判定した時は、ＶＯＣ除去運転を停止し、ＶＯＣ吸着手段８に吸着したＶＯＣを脱着、さらに屋外へ排出（ＶＯＣ再生運転）するために、流路切替手段１０により、屋内からの吸気空気１５の流路を第一流路部１２へ流れるように切替える（Ｓ４〜Ｓ５）。
制御装置１３はＶＯＣ吸着手段８が有する再生手段を規定出力にして、ＶＯＣ再生運転を行い、脱着されたＶＯＣを屋外へ排気１８する（Ｓ６）。
制御装置１３は、第１判定手段により、タイマーのカウントが第２規定累積時間未満又は以上であるかを判定する（Ｓ７）。
制御装置１３はタイマーのカウントが第２規定累積運転時間未満と第１判定手段が判定している間は、累積運転時間に基づいて送風手段９、ＶＯＣ吸脱着手段８が有する再生手段の出力制御及び流路切替手段１０の切替制御を行うことなくＶＯＣ再生運転を続行し（Ｓ６〜Ｓ７）、タイマーのカウントが第２規定累積運転時間以上と第１判定手段が判定した時は、ＶＯＣ運転再生を止めるためにＶＯＣ吸着手段８が有する再生手段の出力を停止させる（Ｓ７〜Ｓ８）。
制御装置１３は、送風手段を停止させてＶＯＣ再生運転を止める（Ｓ９）。
制御装置１３は、ＶＯＣ再生運転停止後、タイマーのカウントをリセットする（Ｓ９〜Ｓ１）。
前記作動が維持されることにより、ＶＯＣ吸着手段８に吸着したＶＯＣが残留することを防ぐことができるため、残留したＶＯＣが屋内からの吸気空気１５によって脱着され、その脱着されたＶＯＣが加わり吸気した空気以上のＶＯＣ濃度となって屋内へ排気されることを防ぐことができる。
実施例２のＶＯＣ除去装置に係るＶＯＣ除去装置の作動は、前記のフローに限定されない。常時連続運転に代えて、ＶＯＣ除去装置の運転を停止する規定累積運転時間を設けて、規定時間内のみＶＯＣ除去装置を運転しても良い。
【実施例３】
【００３３】
実施例１及び実施例２記載のＶＯＣ除去装置であって、図２及び図３中の第二流路部５内に配置した破線で示すＶＯＣセンサー１９と、前記ＶＯＣセンサー１９の検知濃度が規定のＶＯＣ濃度以上或いは以下であるか否かを判定する図示しない第二判定手段とを備えている。
【００３４】
本実施例では、第１流路の空気流に関して、送風手段の上流にＶＯＣセンサー１９を配置している。  
尚、本実施例では、第二流路部５の空気流に関して、送風手段９の上流にＶＯＣセンサー１９を配置しているが上流だけに限らない。
前記ＶＯＣ除去センサー１９の設置位置としては、測定精度の向上を狙って、空気流の速度分布が均一化した位置に設置されることが望ましい。その位置であれば、ＶＯＣ濃度も均一になりやすく、安定したＶＯＣ濃度測定をすることができる。
尚、装置内に限らず、センサー部のみＶＯＣ除去装置と別体とし、屋内の何処かに設置して、ＶＯＣセンサーの検知情報を無線又は有線でＶＯＣ除去装置に伝達する手段を用いても良い。要は屋内空気中のＶＯＣ濃度を検知して、その検知情報に基づいてＶＯＣ除去装置が運転すれば良い。
【００３５】
実施例３に係るＶＯＣ除去装置を常時連続運転する場合の当該除去装置の作動を図１乃至図３の装置の斜視図及び断面図、さらに図５のフロー図を用いて説明する。
ＶＯＣ除去装置の主電源をＯＮにすると装置が作動開始する。制御装置１３は、流路切替手段１０により、屋内からの吸気空気１５の流路を排気口へ流れるように切替える（Ｓ１１）。
制御装置１３は、規定時間の間、送風手段９を規定出力にして屋内からの吸気空気中に含まれるＶＯＣを除去し、ＶＯＣ除去後の空気を屋内へ排気１６する（Ｓ１２）。
制御装置１３は、ＶＯＣセンサー１９により屋内からの吸気空気１５のＶＯＣ濃度を測定する（Ｓ１３）。
制御装置１３は、第２判定手段が測定したＶＯＣ濃度が規定濃度未満又は以上であるかを判定する（Ｓ１４）。
制御装置１３は、屋内からの吸気空気１５のＶＯＣ濃度が規定濃度未満と第２判定手段が判定している間は、その空気のＶＯＣによる汚染度は低いので、規定時間の間ＶＯＣ濃度に基づいて送風手段９の出力を低下又は停止させる（Ｓ１４〜Ｓ１６）。送風手段９の出力を低下又は停止させた後、規定時間の間、送風手段９を規定出力にして屋内からの吸気空気中に含まれるＶＯＣの除去（ＶＯＣ除去運転）を行う（Ｓ１６〜Ｓ１２）。
制御装置１３は、屋内からの吸気空気１５のＶＯＣ濃度が規定濃度以上と第２判定手段が判定した時は、ＶＯＣ除去運転を停止し、ＶＯＣ吸着手段８に吸着したＶＯＣを脱着、さらに屋外へ排出（ＶＯＣ再生運転）するために、流路切替手段１０により、屋内からの吸気空気１５の流路を第一流路部１２へ流れるように切替える（Ｓ１４〜Ｓ１５）。
制御装置１３はＶＯＣ吸着手段８が有する再生手段を規定出力にして、規定時間の間ＶＯＣ再生運転を行い、脱着されたＶＯＣを屋外へ排気１８する（Ｓ１７）。
制御手段１３は、ＶＯＣ再生運転を止めるためにＶＯＣ吸脱着手段８が有する再生手段の出力を停止させる（Ｓ１８）。
制御装置１３は、ＶＯＣ除去運転を行うために、流路切替手段１０で、屋内からの吸気空気１５の流路を排気口へ切替える（Ｓ１９）。
制御装置１３は、ＶＯＣセンサー１９により屋内からの吸気空気１５のＶＯＣ濃度を測定する（Ｓ１９〜Ｓ１３）。
前記作動が維持されることにより、屋内の空気の汚染度が低い時にＶＯＣ除去運転を停止することができるので、ＶＯＣ除去装置の運転に費やされる消費電力の無駄を無くすことができる。
第２形態例のＶＯＣ除去装置に係るＶＯＣ除去装置の作動は、前記のフローに限定されない。常時連続運転に代えて、屋内の空気のＶＯＣ濃度が規定値未満の場合、ＶＯＣ除去装置の運転を停止しても良い。
【００３６】
尚、屋内からの吸気空気１５のＶＯＣ濃度が規定濃度未満時の動作（Ｓ１４〜Ｓ１６）を何度か繰り返すとＶＯＣ吸着手段８に吸着することができるＶＯＣの量を超える可能性がある。そのため、規定回数前記動作が行われた場合、屋内のＶＯＣ濃度に関わらず、強制的にＶＯＣ再生運転を行っても良い。
【００３７】
尚、屋内からの吸気空気１５の吸気量とＶＯＣセンサー１９により測定されたＶＯＣ濃度を積算すると、除去されたＶＯＣの量が求められるので、この量がＶＯＣ吸着手段８の吸着することができるＶＯＣの量を超えない範囲で、強制的にＶＯＣ再生運転を行っても良い。
【００３８】
尚、屋内からの吸気空気１５の吸気量は送風手段９の回転数及び電圧、電流、電力の出力から求めても良い。
前記作動が維持されることにより、ＶＯＣ吸着手段８に吸着したＶＯＣが残留することを防ぐことができるため、残留したＶＯＣが屋内からの吸気空気１５によって脱着され、その脱着されたＶＯＣが加わり吸気以上のＶＯＣ濃度となって屋内へ排気されることを防ぐことができる。
【実施例４】
【００３９】
ＶＯＣ除去装置の構成は図２及び図３に示す内部の構成に限らず、図６及び図７に示す構成であっても実施例１乃至実施例３で示した効果を得ることができる。
【産業上の利用可能性】
【００４０】
本発明に係るＶＯＣ除去装置は家屋に限らず、建築物の天井や側壁等で、換気扇の吸気口を有している場所に適用することができる。
【００４１】
尚、既設の換気扇の吸気口に限らず、新設の換気扇の吸気口及び排気ダクトの屋内換気口の入口に設置しても良い。
【図面の簡単な説明】
【００４２】
【図１】本発明の実施例１乃至実施例３の何れかに係る、ＶＯＣ除去装置を天井に取付ける仕組みを、下より見上げた斜視図である。
【図２】本発明の実施例１乃至実施例３の何れかに係る、ＶＯＣ除去運転時の断面図である。
【図３】本本発明の実施例１乃至実施例３の何れかに係る、ＶＯＣ再生運転時の断面図である。
【図４】本発明の実施例２に係る、ＶＯＣ除去装置であって、累積運転時間に基づいて常時連続運転させる時のフローを示す図である。
【図５】本発明の実施例３に係る、ＶＯＣ除去装置であって、屋内からの吸気空気のＶＯＣ濃度に基づいて常時連続運転させる時のフローを示す図である。
【図６】本発明の実施例４に係る、ＶＯＣ除去運転時の断面図である。
【図７】本発明の実施例４に係る、ＶＯＣ再生運転時の断面図である。
【符号の説明】
【００４３】
１…ＶＯＣ除去装置  
２…天井
３…既設のフランジ
４…取付手段
５…第二流路部
６…第二吸気口
７…排気口
８…ＶＯＣ吸着手段
９…送風手段
１０…流路切替手段
１１…第一吸気口
１２…第一流路部
１３…制御装置
１４…フィルター
１５…屋内からの吸気空気の流れ
１６…ＶＯＣ除去運転時の屋内への排気空気の流れ
１７…換気扇運転時の屋外への排気空気の流れ
１８…ＶＯＣ再生運転時の屋外への排気空気の流れ
１９…ＶＯＣセンサー
２０…換気口接続部
【図１】
2006263171.tif 000003
【図２】
2006263171.tif 000004
【図３】
2006263171.tif 000005
【図４】
2006263171.tif 000006
【図５】
2006263171.tif 000007
【図６】
2006263171.tif 000008
【図７】
2006263171.tif 000009